(57)【要約】【課題】他者に迷惑をかけてしまうことを確実且つ容易に防止する。【解決手段】撮像時の補助光を発生するストロボ発光部６と、撮像動作に関連した動作音を含む音声を発生する音声処理部40及びスピーカ部11と、マナーモードを指定するマナーモードキー14を含むキー入力部39と、マナーモードキー14の操作により補助光と動作音の発生を一括して禁止する制御部32とを備える。【選択図】      図２
2005184485.tif 000002
【特許請求の範囲】
【請求項１】
被写体を撮像して得られる画像データを記録する撮像装置において、
撮像時の補助光を発生する補助光発生手段と、
撮像動作に関連した動作音を含む音声を発生する音声発生手段と、
マナーモードを指定する指定キーと、
この指定キーの操作により上記補助光発生手段及び上記音声発生手段の動作を一括して禁止するマナー動作制御手段と
を具備したことを特徴とする撮像装置。
【請求項２】
上記マナー動作制御手段は、上記指定キーの操作がなされる毎に上記補助光発生手段及び上記音声発生手段の動作の一括禁止状態の設定と解除とを切換えることを特徴とする請求項１記載の撮像装置。
【請求項３】
任意のキーを上記マナーモードを指定するキーに割当て設定する設定手段をさらに具備し、
上記マナー動作制御手段は、上記設定手段で割当て設定されたキーの操作によっても上記補助光発生手段及び上記音声発生手段の動作を一括して禁止する
ことを特徴とする請求項１記載の撮像装置。
【請求項４】
上記マナー動作制御手段によるマナーモード動作の識別表示を行なう表示手段をさらに具備したことを特徴とする請求項１記載の撮像装置。
【請求項５】
音声を入力する音声入力手段と、
この音声入力手段で入力された音声がマナーモードの指定である場合にこれを認識する音声認識手段とをさらに具備し、
上記マナー動作制御手段は、上記音声認識手段でマナーモード指定の音声を認識した際も上記補助光発生手段及び上記音声発生手段の動作を一括して禁止する
ことを特徴とする請求項１記載の撮像装置。
【請求項６】
上記音声認識手段は、予め登録しておいた音声と上記音声入力手段で入力された音声との比較によりマナーモードの指定を認識することを特徴とする請求項５記載の撮像装置。
【請求項７】
被写体を撮像して得られる画像データを記録する撮像装置の動作制御方法であって、
マナーモードを指定する指定キーの操作に伴って、撮像時の補助光の発生と撮像動作に関連した動作音を含む音声の発生とを一括して禁止するマナー制御工程を有したことを特徴とする撮像装置の動作制御方法。
【請求項８】
被写体を撮像して得られる画像データを記録する撮像装置に内蔵されたコンピュータが実行するプログラムであって、
マナーモードを指定する指定キーの操作に伴って、撮像時の補助光の発生と撮像動作に関連した動作音を含む音声の発生とを一括して禁止するマナー制御ステップをコンピュータに実行させることを特徴とするプログラム。
【発明の詳細な説明】
【技術分野】
【０００１】
本発明は、特に音声付きの動画撮影や音楽再生が可能なデジタルスチルカメラ等に好適な撮像装置、撮像装置の動作制御方法及びプログラムに関する。
【背景技術】
【０００２】
一般に広く普及しているデジタルスチルカメラ（以下「デジタルカメラ」と称する）では、擬似的なシャッタ音や各種キー操作音等をユーザの好みに応じて個々の設定することができ、消音を含む複数の候補の中から１つを選択することができるようになっているものが多い。
【０００３】
また、銀塩フィルムを用いたカメラ（以下「銀塩カメラ」と称する）等のような機械的動作音の比較的大きい装置の動作音を低減または消音し、あるいはデジタルカメラ等のような機械的動作音の非常に小さい装置の動作音を強調するべく、動作音を集音してその逆位相あるいは同位相の音声を発生し、拡声放音するような技術も考えられている。（例えば、特許文献１）
【特許文献１】特開２０００−０２００７４号公報
【発明の開示】
【発明が解決しようとする課題】
【０００４】
しかしながら、上記デジタルカメラで個々の動作音を全て消音設定するためには、大変煩雑なキー操作が必要となるので現実的ではなく、且つ１つの動作音の消音設定を忘れてしまった場合でも、なんらかの動作音が発生してしまう可能性がある。
【０００５】
また、上記特許文献１の技術は、集音回路と音声信号のプロセス回路、及びある程度の音圧を有する発音体とその駆動回路が必要となり、全体として回路規模が大きく複雑なものとなってしまう。
【０００６】
ところで、携帯電話機の分野では、最も基本的な機能の１つであるマナーモード機能として、公衆の場所で他人に迷惑をかけることがないように、通話の着信音等の動作音の発生を抑止する機能が搭載されている。
【０００７】
しかしながら、例えばカメラ付きの携帯電話機でのカメラ撮影時に必ずシャッタ音が出され、必要に応じて補助光も発光されるなど、携帯電話機のマナーモード機能でもすべての動作音等が抑制されるように設定されるのではなく、不用意に周囲に迷惑をかけてしまう可能性は常にある。
【０００８】
本発明は上記のような実情に鑑みてなされたもので、その目的とするところは、他者に迷惑をかけてしまうことを確実且つ容易に防止することが可能な撮像装置、撮像装置の動作制御方法及びプログラムを提供することにある。
【課題を解決するための手段】
【０００９】
請求項１記載の発明は、被写体を撮像して得られる画像データを記録する撮像装置において、撮像時の補助光を発生する補助光発生手段と、撮像動作に関連した動作音を含む音声を発生する音声発生手段と、マナーモードを指定する指定キーと、この指定キーの操作により上記補助光発生手段及び上記音声発生手段の動作を一括して禁止するマナー動作制御手段とを具備したことを特徴とする。
【００１０】
請求項２記載の発明は、上記請求項１記載の発明において、上記マナー動作制御手段は、上記指定キーの操作がなされる毎に上記補助光発生手段及び上記音声発生手段の動作の一括禁止状態の設定と解除とを切換えることを特徴とする。
【００１１】
請求項３記載の発明は、上記請求項１記載の発明において、任意のキーを上記マナーモードを指定するキーに割当て設定する設定手段をさらに具備し、上記マナー動作制御手段は、上記設定手段で割当て設定されたキーの操作によっても上記補助光発生手段及び上記音声発生手段の動作を一括して禁止することを特徴とする。
【００１２】
請求項４記載の発明は、上記請求項１記載の発明において、上記マナー動作制御手段によるマナーモード動作の識別表示を行なう表示手段をさらに具備したことを特徴とする。
【００１３】
請求項５記載の発明は、上記請求項１記載の発明において、音声を入力する音声入力手段と、この音声入力手段で入力された音声がマナーモードの指定である場合にこれを認識する音声認識手段とをさらに具備し、上記マナー動作制御手段は、上記音声認識手段でマナーモード指定の音声を認識した際も上記補助光発生手段及び上記音声発生手段の動作を一括して禁止することを特徴とする。
【００１４】
請求項６記載の発明は、上記請求項５記載の発明において、上記音声認識手段は、予め登録しておいた音声と上記音声入力手段で入力された音声との比較によりマナーモードの指定を認識することを特徴とする。
【００１５】
請求項７記載の発明は、被写体を撮像して得られる画像データを記録する撮像装置の動作制御方法であって、マナーモードを指定する指定キーの操作に伴って、撮像時の補助光の発生と撮像動作に関連した動作音を含む音声の発生とを一括して禁止するマナー制御工程を有したことを特徴とする。
【００１６】
請求項８記載の発明は、被写体を撮像して得られる画像データを記録する撮像装置に内蔵されたコンピュータが実行するプログラムであって、マナーモードを指定する指定キーの操作に伴って、撮像時の補助光の発生と撮像動作に関連した動作音を含む音声の発生とを一括して禁止するマナー制御ステップをコンピュータに実行させることを特徴とする。
【発明の効果】
【００１７】
請求項１記載の発明によれば、マナーモードの指定キー操作により音と光の発生を一括して抑制できるため、他者に迷惑をかけてしまうことを確実且つ容易に防止できる。
【００１８】
請求項２記載の発明によれば、上記請求項１記載の発明の効果に加えて、マナーモードの設定と解除とを同一のキー操作により容易に切換えることができる。
【００１９】
請求項３記載の発明によれば、上記請求項１記載の発明の効果に加えて、ユーザが任意にマナーモードの指定キーを設定することができ、より使い勝手を向上させることができる。
【００２０】
請求項４記載の発明によれば、上記請求項１記載の発明の効果に加えて、マナーモードの設定状態を容易に視認できる。
【００２１】
請求項５記載の発明によれば、上記請求項１記載の発明の効果に加えて、キー操作ができない状態でも音声によりマナーモードを設定できる。
【００２２】
請求項６記載の発明によれば、上記請求項５記載の発明において、ユーザが任意にマナーモード指定の音声を登録することができ、装置側は登録されている音声と入力された音声との近似度を判断するのみでマナーモードの指定を判定できるので、処理の負担を軽減しながらも認識率を向上させることができる。
【００２３】
請求項７記載の発明によれば、マナーモードの指定キー操作により音と光の発生を一括して抑制できるため、他者に迷惑をかけてしまうことを確実且つ容易に防止できる。
【００２４】
請求項８記載の発明によれば、マナーモードの指定キー操作により音と光の発生を一括して抑制できるため、他者に迷惑をかけてしまうことを確実且つ容易に防止できる。
【発明を実施するための最良の形態】
【００２５】
（第１の実施の形態）  
以下本発明をデジタルカメラに適用した場合の第１の実施の形態について図面を参照して説明する。
【００２６】
図１は、その外観構成を示すもので、図１（Ａ）が主に前面の、図１（Ｂ）が主に背面の構成を示す斜視図である。
【００２７】
このデジタルカメラ１は、略矩形の薄板状ボディの前面に、撮影レンズ２、セルフタイマランプ３、光学ファインダ窓４、マイクロホン部５、ストロボ発光部６、及びバーグリップ７を配設し、上面の（ユーザにとって）右端側には電源キー８及びシャッタキー９を配する。
【００２８】
バーグリップ７は、ユーザが撮影時にデジタルカメラ１を右手で筐体右側面側から把持した場合に右手中指、薬指、及び小指が確実に該筐体を把持できるように配設された金属製の帯状突起である。
【００２９】
また、電源キー８は、電源のオン／オフ毎に操作するキーであり、シャッタキー９は、撮影モード時に撮影を指示する一方で、メニュー選択等では設定／実行を指示する実行キーとしても機能するものとする。
【００３０】
また、デジタルカメラ１の背面には、モードスイッチ（ＳＷ）１０、スピーカ部１１、メニューキー１２、十字キー１３、マナーモードキー１４、光学ファインダ１５、ストロボチャージランプ１６、及び表示部１７を配する。
【００３１】
モードスイッチ１０は、例えばスライドキースイッチにより構成され、基本モードである記録モード「Ｒ」と再生モード「Ｐ」とを切換える。
【００３２】
メニューキー１２は、各種メニュー項目等を選択させる際に操作する。
【００３３】
十字キー１３は、上下左右各方向へのカーソル移動用のキーが一体に形成されたものである。
【００３４】
マナーモードキー１４は、マナーモードの設定と解除とを指定する際に操作する。
【００３５】
光学ファインダ１５は、表示部１７を使用せずに被写体像を視認する際に使用する。
【００３６】
ストロボチャージランプ１６は、ストロボの発光動作状態をその色及び点滅／点灯等のパターンにより表示する。
【００３７】
表示部１７は、バックライト付きのカラー液晶パネルで構成されるもので、記録モード時には電子ファインダとしてスルー画像のモニタ表示を行なう一方で、再生モード時には選択した画像を再生表示する。
【００３８】
なお、図示はしないがデジタルカメラ１の底面には、記録媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ  Ｓｅｒｉｕａｌ  Ｂｕｓ）コネクタ等が設けられるものとする。
【００３９】
次いで図２により上記デジタルカメラ１の電子回路構成を説明する。  
同図で、基本モードである撮影モードにおいては、所定のビデオレート、１／３０［秒］毎にモータ（Ｍ）２１の駆動により合焦位置や絞り位置が移動される、上記撮影レンズ２を構成するレンズ光学系２２の撮影光軸後方に配置された撮像素子であるＣＣＤ２３が、タイミング発生器（ＴＧ）２４、垂直ドライバ２５によって走査駆動され、一定周期毎に結像した光像に対応する光電変換出力を１画面分出力する。
【００４０】
この光電変換出力は、アナログ値の信号の状態でＲＧＢの各原色成分毎に適宜ゲイン調整された後に、サンプルホールド回路（Ｓ／Ｈ）２６でサンプルホールドされ、Ａ／Ｄ変換器２７でデジタルデータに変換され、さらにカラープロセス回路２８で画素補間処理及びγ補正処理を含むカラープロセス処理が行なわれて、デジタル値の輝度信号Ｙ及び色差信号Ｃｂ，Ｃｒが生成され、ＤＭＡ（Ｄｉｒｅｃｔ  Ｍｅｍｏｒｙ  Ａｃｃｅｓｓ）コントローラ２９に出力される。
【００４１】
ＤＭＡコントローラ２９は、カラープロセス回路２８の出力する輝度信号Ｙ及び色差信号Ｃｂ，Ｃｒを、同じくカラープロセス回路２８からの複合同期信号、メモリ書込みイネーブル信号、及びクロック信号を用いて一度ＤＭＡコントローラ２９内部のバッファに書込み、ＤＲＡＭインタフェース（Ｉ／Ｆ）３０を介してバッファメモリとして使用されるＤＲＡＭ３１にＤＭＡ転送を行なう。
【００４２】
制御部３２は、ＣＰＵと、後述する撮影モード時のシャッタキー９の操作に対する処理を含む該ＣＰＵで実行される動作プログラムを固定的に記憶したＲＯＭ、及びワークメモリとして使用されるＲＡＭ等により構成され、このデジタルカメラ１全体の制御動作を司る。
【００４３】
しかして制御部３２は、上記輝度及び色差信号のＤＲＡＭ２１へのＤＭＡ転送終了後に、この輝度及び色差信号をＤＲＡＭインタフェース３０を介してＤＲＡＭ３１より読出し、ＶＲＡＭコントローラ３３を介してＶＲＡＭ３４に書込む。
【００４４】
デジタルビデオエンコーダ３５は、上記輝度及び色差信号をＶＲＡＭコントローラ３３を介してＶＲＡＭ３４より定期的に読出し、これらのデータを元にビデオ信号を発生して上記表示部１７に出力する。
【００４５】
この表示部１７は、上述した如くデジタルカメラ１の背面側に設けられるもので、撮影モード時にはモニタ表示部（電子ファインダ）として機能し、デジタルビデオエンコーダ３５からのビデオ信号に基づいた表示を行なうことで、その時点でＶＲＡＭコントローラ３３から取込んでいる画像情報に基づく画像をリアルタイムに表示することとなる。
【００４６】
このように表示部１７にその時点での画像がモニタ画像としてリアルタイムに表示されている、所謂スルー画像の表示状態で、静止画撮影を行ないたいタイミングで上記シャッタキー９を操作すると、トリガ信号を発生する。
【００４７】
制御部３２は、このトリガ信号に応じてその時点でＣＣＤ２３の上記ビデオレートにしたがった駆動を停止した後、自動合焦処理及び自動露出処理を実行して適正な合焦位置及び露出値を得、得た内容に基づいてレンズ光学系２２の位置、絞り、及びＣＣＤ２３の露光時間を制御してあらためて撮像を実行させる。
【００４８】
こうして得られた１フレーム分の画像データがＤＲＡＭ３１にＤＭＡ転送されて書込まれた後、制御部３２がＤＲＡＭ３１に書込まれている１フレーム分の輝度及び色差信号をＤＲＡＭインタフェース３０を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路３６に書込み、このＪＰＥＧ回路３６でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００４９】
そして、得た符号データを１画像のデータファイルとして該ＪＰＥＧ回路３６から読出し、このデジタルカメラ１の記録媒体として着脱自在に装着されているメモリカード３７か、メモリカード３７が装着されていない場合はこのデジタルカメラ１に固定的に内蔵される内蔵メモリ３８に書込む。
【００５０】
そして、１フレーム分の輝度及び色差信号の圧縮処理及びメモリカード３７または内蔵メモリ３８への全圧縮データの書込み終了に伴なって、制御部３２はビデオレートに基づいたＣＣＤ２３からＤＲＡＭ３１を経由して表示部１７でスルー画像を表示させる駆動を再開する。
【００５１】
また、制御部３２には、キー入力部３９、音声処理部４０、及びストロボ駆動部４１が接続される。
【００５２】
キー入力部３９は、上述した電源キー８、シャッタキー９、モードスイッチ１０、メニューキー１２、十字キー１３、及びマナーモードキー１４等から構成され、それらのキー操作に伴なう信号は直接制御部３２へ送出される。
【００５３】
音声処理部４０は、ＰＣＭ音源等の音源回路を備え、音声の録音時には上記マイクロホン部（ＭＩＣ）５より入力された音声信号をデジタル化し、所定のデータファイル形式、例えばＭＰ３（ＭＰＥＧ−１  ａｕｄｉｏ  ｌａｙｅｒ  ３）規格にしたがってデータ圧縮して音声データファイルを作成して上記メモリカード３７または内蔵メモリ３８へ送出する一方、音声の再生時にはメモリカード３７または内蔵メモリ３８から送られてきた音声データファイルの圧縮を解いてアナログ化し、上記スピーカ部（ＳＰ）１１を駆動して、拡声放音させる。
【００５４】
さらに音声処理部４０は、制御部３２からの制御に基づいて各種動作音、例えば上記シャッタキー９の操作に伴う擬似的なシャッタ音、他のキーの操作に伴うビープ音等も発生してスピーカ部１１より拡声放音させる。
【００５５】
また、音声処理部４０は音声認識部４０ａを内蔵する。この音声認識部４０ａは、電源が投入されて且つ音声の録音時ではない場合に、マイクロホン部５から一定の音圧以上で入力される音声に対する認識処理を実行して、その音声が予め登録しておいた音声と近似しているか否かを判定する。
【００５６】
ストロボ駆動部４１は、静止画像撮影時に図示しないストロボ用の大容量コンデンサを充電した上で、制御部３２からの制御に基づいて上記ストロボ発光部６を閃光駆動する。
【００５７】
しかるに、静止画像ではなく動画像の撮影時においては、シャッタキー９が操作され続けている間、上述した静止画データをＪＰＥＧ回路３６でデータ圧縮した静止画データファイルのメモリカード３７または内蔵メモリ３８への記録を時間的に連続して実行し、該シャッタキー９の操作が終わるか、または所定の制限時間、例えば３０秒が経過した時点でそれら一連の静止画データファイルを一括してモーションＪＰＥＧのデータファイル（ＡＶＩファイル）として設定し直す。
【００５８】
この時、音声付きの動画像の撮影が指定されている場合には、上述した如くマイクロホン部５からの入力により得た音声データファイルも関連付けて記録させる。
【００５９】
また、基本モードである再生モード時には、制御部３２がメモリカード３７または内蔵メモリ３８に記録されている画像データを選択的に読出し、ＪＰＥＧ回路３６で撮影モード時にデータ圧縮した手順と全く逆の手順で圧縮されている画像データを伸長し、伸長した画像データをＤＲＡＭインタフェース３０を介してＤＲＡＭ３１に保持させた上で、このＤＲＡＭ３１の保持内容をＶＲＡＭコントローラ３３を介してＶＲＡＭ３４に記憶させ、このＶＲＡＭ３４より定期的に画像データを読出してビデオ信号を発生し、上記表示部１７で再生出力させる。
【００６０】
選択した画像データが静止画像ではなく動画像であった場合、選択した動画像ファイルを構成する個々の静止画データの再生を時間的に連続して実行し、すべての静止画データの再生を終了した時点で、次に再生の指示がなされるまで先頭に位置する静止画データのみを用いて再生表示する。
【００６１】
次に上記実施の形態の動作について説明する。  
なお、以下に示す各処理は、基本的に制御部３２が予め固定記憶したプログラムに基づいて実行するものである。
【００６２】
図３は、電源が投入されている状態で制御部３２が常時実行する、マナーモードキー１４の操作に対する処理内容を示すもので、その当所にマナーモードキー１４が操作されたか否かを繰返し判断することでマナーモードキー１４の操作がなされるのを待機する（ステップＡ０１）。
【００６３】
しかして、マナーモードキー１４が操作されたと判断すると、次にその時点ですでにマナーモードが設定されているか否かを判断し（ステップＡ０２）、まだマナーモードが設定されていないと判断すると、あらためてマナーモードを設定するべく、音声処理部４０によるスピーカ部１１の駆動を停止させ、上記キー入力部３９を構成するシャッタキー９の操作に伴うシャッタ音及びその他のキーの操作に伴うキー操作音と、音声付き動画ファイル及び音楽ファイルを再生する場合の再生音の出力を全てオフ設定すると共に、ストロボ駆動部４１によるストロボ発光部６の駆動を停止させて、ストロボ発光部６での発光を強制的に禁止させる（ステップＡ０３）。
【００６４】
これと共に、図４（Ｂ）に例示するように表示部１７の画面の一端、例えば左上端部にマナーモードが設定されていることを示すマナーモードアイコンＭＭＩを表示させて（ステップＡ０４）、ユーザに容易に視認できるものとする。
【００６５】
その後、再度のマナーモードキー１４の操作に備えて上記ステップＡ０１からの処理に戻る。
【００６６】
また、上記ステップＡ０２でマナーモードキー１４が操作された時点ですでにマナーモードが設定されていると判断した場合には、このマナーモードキー１４の操作によりマナーモードの設定を解除するべく、音声処理部４０によるスピーカ部１１の駆動を再開させ、上記キー入力部３９を構成するシャッタキー９の操作に伴うシャッタ音及びその他のキーの操作に伴うキー操作音と、音声付き動画ファイル及び音楽ファイルを再生する場合の再生音の出力を全てオン設定すると共に、ストロボ駆動部４１によるストロボ発光部６の駆動も再開させて、それまで設定されていたストロボ発光モードに基づいてストロボ発光部６での発光を有効であるものとさせる（ステップＡ０５）。
【００６７】
これと共に、上記図４（Ｂ）で示した表示部１７の画面の一端に表示させていたマナーモードアイコンＭＭＩの表示を図４（Ａ）に示すように停止させ（ステップＡ０６）、以上でマナーモードの解除処理を終えて、再度のマナーモードキー１４の操作に備えるべく、上記ステップＡ０１からの処理に戻る。
【００６８】
このように、専用のマナーモードキー１４の操作により、スピーカ部１１から出力される音とストロボ発光部６での発光を一括して抑制できるため、周囲の他者に迷惑をかけてしまうことを確実且つ容易に防止できる。
【００６９】
加えて、すでにマナーモードが設定されている状態でさらにマナーモードキー１４が操作された場合には、マナーモードの設定を即時解除するものとしたことにより、マナーモードの解除も設定と同様のキー操作が一括して実行させることができる。
【００７０】
さらに、モニタ画面となる表示部１７ではマナーモードアイコンＭＭＩの表示の有無によりマナーモードの設定状態を容易に視認できる。
【００７１】
（第２の実施の形態）  
以下本発明をデジタルカメラに適用した場合の第２の実施の形態について図面を参照して説明する。
【００７２】
なお、その外観構成については上記図１と、電子回路構成については上記図２と基本的に同様であるものとして、同一部分には同一符号を用いるものとし、それらの図示及び説明は省略する。
【００７３】
次に上記実施の形態の動作について説明する。  
なお、以下に示す各処理は、基本的に制御部３２が予め固定記憶したプログラムに基づいて実行するものである。
【００７４】
図５は、電源が投入されている状態で制御部３２が常時実行する、マナーモードキー１４の操作その他に対する処理内容を示すもので、その当所に専用のマナーモードキー１４が操作されたか否か（ステップＢ０１）、ユーザ設定のマナーモードキーが操作されたか否か（ステップＢ０２）、ユーザのカスタム設定モードによりマナーモードキーのユーザ設定が指定されたか否か（ステップＢ０３）を繰返し判断することで、これらのいずれかの操作入力を待機する。
【００７５】
上記ステップＢ０３でマナーモードキーのユーザ設定が指定されたと判断した場合、これは上記メニューキー１２の操作によりユーザのカスタム設定モードが指定され、その後の項目選択によりマナーモードキー１４と同一の機能を他の任意の操作キーにも割り当てるものとして指定されたことになるので、例えば表示部１７に  
「マナーモードキー以外の  
お好きなキーを操作してください」  
のようなガイドメッセージを表示させた上でキー入力部３９を構成する他のキー操作を受付け、操作されたキーをマナーモードキー１４と同一の機能を実行するものとして登録した上で（ステップＢ０４）、再び上記ステップＢ０１からの処理に戻る。
【００７６】
しかして、上記ステップＢ０１でマナーモードキー１４が操作されたと判断した場合、及び上記ステップＢ０２で上記ステップＢ０４での処理による登録されたキーがマナーモードキー１４の代わりに操作されたと判断した場合には、次にその時点ですでにマナーモードが設定されているか否かを判断し（ステップＢ０５）、まだマナーモードが設定されていないと判断すると、あらためてマナーモードを設定するべく、音声処理部４０によるスピーカ部１１の駆動を停止させ、上記キー入力部３９を構成するシャッタキー９の操作に伴うシャッタ音及びその他のキーの操作に伴うキー操作音と、音声付き動画ファイル及び音楽ファイルを再生する場合の再生音の出力を全てオフ設定すると共に、ストロボ駆動部４１によるストロボ発光部６の駆動を停止させて、ストロボ発光部６での発光を強制的に禁止させる（ステップＢ０６）。
【００７７】
これと共に、上記図４（Ｂ）に例示したように表示部１７の画面の一端、例えば左上端部にマナーモードが設定されていることを示すマナーモードアイコンＭＭＩを表示させて（ステップＢ０７）、ユーザに容易に視認できるものとする。
【００７８】
その後、再度のマナーモードキー１４の操作に備えて上記ステップＢ０１からの処理に戻る。
【００７９】
また、上記ステップＢ０５ですでにマナーモードが設定されていると判断した場合には、マナーモードキー１４またはマナーモードキー１４に代えてユーザ設定した他のキーの操作によりマナーモードの設定を解除するべく、音声処理部４０によるスピーカ部１１の駆動を再開させ、上記キー入力部３９を構成するシャッタキー９の操作に伴うシャッタ音及びその他のキーの操作に伴うキー操作音と、音声付き動画ファイル及び音楽ファイルを再生する場合の再生音の出力を全てオン設定すると共に、ストロボ駆動部４１によるストロボ発光部６の駆動も再開させて、それまで設定されていたストロボ発光モードに基づいてストロボ発光部６での発光を有効であるものとさせる（ステップＢ０８）。
【００８０】
これと共に、上記図４（Ｂ）で示した表示部１７の画面の一端に表示させていたマナーモードアイコンＭＭＩの表示を上記図４（Ａ）に示したように停止させ（ステップＢ０９）、以上でマナーモードの解除処理を終えて、再度のマナーモードキー１４またはマナーモードキー１４に代わる他のキーの操作またはそのユーザ設定に備えるべく、上記ステップＢ０１からの処理に戻る。
【００８１】
このように、マナーモードの設定と解除を行なうキーとして専用のマナーモードキー１４だけでなく、ユーザが任意にマナーモードキー１４と同等の機能を有するキーを設定することができ、デジタルカメラ１の使い勝手をより向上させることができる。
【００８２】
（第３の実施の形態）  
以下本発明をデジタルカメラに適用した場合の第３の実施の形態について図面を参照して説明する。
【００８３】
なお、その外観構成については上記図１と、電子回路構成については上記図２と基本的に同様であるものとして、同一部分には同一符号を用いるものとし、それらの図示及び説明は省略する。
【００８４】
次に上記実施の形態の動作について説明する。  
なお、以下に示す各処理は、基本的に制御部３２が予め固定記憶したプログラムに基づいて実行するものである。
【００８５】
図６は、電源が投入されている状態で制御部３２が常時実行する、マナーモードキー１４の操作その他に対する処理内容を示すもので、その当所に専用のマナーモードキー１４が操作されたか否か（ステップＣ０１）、予め登録されたマナーモードを指定する音声入力がなされたか否か（ステップＣ０２）、ユーザのカスタム設定モードによりマナーモードを指定するための音声入力が指定されたか否か（ステップＣ０３）を繰返し判断することで、これらのいずれかの入力を待機する。
【００８６】
上記ステップＣ０３でマナーモードを指定するための音声入力が指定されたと判断した場合、これは上記メニューキー１２の操作によりユーザのカスタム設定モードが指定され、その後の項目選択によりマナーモードの指定となる音声の登録が指定されたことになるので、例えば表示部１７に  
「マナーモードキーを設定／解除する音声を  
マイクに向かって入力してください」  
のようなガイドメッセージを表示させた上でマイクロホン部５からの音声入力を受付け、入力された音声データをファイル化して例えば制御部３２の内部メモリに登録した上で（ステップＣ０４）、再び上記ステップＣ０１からの処理に戻る。
【００８７】
また、上記ステップＣ０２でマイクロホン部５から所定の音圧以上で音声が入力され、且つその入力された音声が予め登録されたマナーモード指定の音声データと比較して近似していると判断された場合、及び上記ステップＣ０１でマナーモードキー１４が操作されたと判断した場合には、次にその時点ですでにマナーモードが設定されているか否かを判断し（ステップＣ０５）、まだマナーモードが設定されていないと判断すると、あらためてマナーモードを設定するべく、音声処理部４０によるスピーカ部１１の駆動を停止させ、上記キー入力部３９を構成するシャッタキー９の操作に伴うシャッタ音及びその他のキーの操作に伴うキー操作音と、音声付き動画ファイル及び音楽ファイルを再生する場合の再生音の出力を全てオフ設定すると共に、ストロボ駆動部４１によるストロボ発光部６の駆動を停止させて、ストロボ発光部６での発光を強制的に禁止させる（ステップＣ０６）。
【００８８】
これと共に、上記図４（Ｂ）に例示したように表示部１７の画面の一端、例えば左上端部にマナーモードが設定されていることを示すマナーモードアイコンＭＭＩを表示させて（ステップＣ０７）、ユーザに容易に視認できるものとする。
【００８９】
その後、再度のマナーモードキー１４の操作に備えて上記ステップＣ０１からの処理に戻る。
【００９０】
また、上記ステップＣ０５ですでにマナーモードが設定されていると判断した場合には、マナーモードキー１４またはマナーモードキー１４に代えてユーザ設定した音声入力によりマナーモードの設定を解除するべく、音声処理部４０によるスピーカ部１１の駆動を再開させ、上記キー入力部３９を構成するシャッタキー９の操作に伴うシャッタ音及びその他のキーの操作に伴うキー操作音と、音声付き動画ファイル及び音楽ファイルを再生する場合の再生音の出力を全てオン設定すると共に、ストロボ駆動部４１によるストロボ発光部６の駆動も再開させて、それまで設定されていたストロボ発光モードに基づいてストロボ発光部６での発光を有効であるものとさせる（ステップＣ０８）。
【００９１】
これと共に、上記図４（Ｂ）で示した表示部１７の画面の一端に表示させていたマナーモードアイコンＭＭＩの表示を上記図４（Ａ）に示したように停止させ（ステップＣ０９）、以上でマナーモードの解除処理を終えて、再度のマナーモードキー１４またはマナーモードキー１４に代わる音声入力またはそのユーザ設定に備えるべく、上記ステップＣ０１からの処理に戻る。
【００９２】
このように、キー操作ができない状態でも音声によりマナーモードを設定できるだけでなく、ユーザが任意にマナーモード指定の音声を登録することができ、装置側は登録されている音声と入力された音声との近似度を判断するのみでマナーモードの指定を判定できるので、装置側の処理の負担を軽減しながらも入力音声の認識率を向上させることができる。
【００９３】
なお、上記第１乃至第３の実施の形態は、いずれも本発明をデジタルカメラに適用した場合について説明したが、本発明はこれに限ることなく、例えばカメラ付きの携帯電話機、カメラ機能付きのパーソナルコンピュータやＰＤＡ（Ｐｅｒｓｏｎａｌ  Ｄｉｇｉｔａｌ  Ａｓｓｉｓｔａｎｔ：個人向け情報携帯端末））等でも同様に実施可能である。
【００９４】
その他、本発明は上記実施の形態に限らず、その要旨を逸脱しない範囲内で種々変形して実施することが可能であるものとする。
【００９５】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００９６】
【図１】本発明の第１の実施の形態に係るデジタルカメラの主として前面と背面の外観構成を示す斜視図。
【図２】同実施の形態に係るデジタルカメラの電子回路構成を示すブロック図。
【図３】同実施の形態に係るマナーモードの設定と解除に対する処理内容を示すフローチャート。
【図４】同実施の形態に係る表示部での画面表示状態を例示する図。
【図５】本発明の第２の実施の形態に係るマナーモードの設定と解除に対する処理内容を示すフローチャート。
【図６】本発明の第３の実施の形態に係るマナーモードの設定と解除に対する処理内容を示すフローチャート。
【符号の説明】
【００９７】
１…デジタルカメラ、２…撮影レンズ、３…セルフタイマランプ、４…光学ファインダ窓、５…マイクロホン部（ＭＩＣ）、６…ストロボ発光部、７…バーグリップ、８…電源キー、９…シャッタキー、１０…モードスイッチ（ＳＷ）、１１…スピーカ部（ＳＰ）、１２…メニューキー、１３…十字キー、１４…マナーモードキー、１５…光学ファインダ、１６…ストロボチャージランプ、１７…表示部、２１…モータ（Ｍ）、２２…レンズ光学系、２３…ＣＣＤ、２４…タイミング発生器（ＴＧ）、２５…垂直ドライバ、２６…サンプルホールド回路（Ｓ／Ｈ）、２７…Ａ／Ｄ変換器、２８…カラープロセス回路、２９…ＤＭＡコントローラ、３０…ＤＲＡＭインタフェース（Ｉ／Ｆ）、３１…ＤＲＡＭ、３２…制御部、３３…ＶＲＡＭコントローラ、３４…ＶＲＡＭ、３５…デジタルビデオエンコーダ、３６…ＪＰＥＧ回路、３７…メモリカード、３８…内蔵メモリ、３９…キー入力部、４０…音声処理部、４０ａ…音声認識部、４１…ストロボ駆動部、ＭＭＩ…マナーモードアイコン。
【図１】
2005184485.tif 000003
【図２】
2005184485.tif 000004
【図３】
2005184485.tif 000005
【図４】
2005184485.tif 000006
【図５】
2005184485.tif 000007
【図６】
2005184485.tif 000008